(57)【要約】【課題】  厚みが薄く、かつ製造が簡単で、かつ渦電流損等の損失が極めて小さい、面状の電力移送装置を提供する。【解決手段】  １次からＮ次（Ｎ：２以上の正の整数）の配線が一体に形成された前記配線群と、配線群を収容するための空洞路を有するソフト磁性材料からなる基板と、を備えた電力移送装置であって、前記基板の前記空洞路の一部と前記空洞路の他の一部とが隣接する領域の、前記一部と前記他の一部との間に、貫通したスリットが形成され、または、前記基板の少なくとも一方の面の、前記空洞路の一部と前記空洞路の他の一部とが隣接する領域の、前記一部と前記他の一部との間に、線状溝が形成されている電力移送装置。【選択図】  図１
2016042507.tif 000002
【特許請求の範囲】
【請求項１】
１次からＮ次（Ｎ：２以上の正の整数）の配線が一体に形成された前記配線群と、
配線群を収容するための空洞路を有するソフト磁性材料からなる基板と、
を備えた電力移送装置であって、
前記基板の前記空洞路の一部と前記空洞路の他の一部とが隣接する領域の、前記一部と前記他の一部との間に、貫通したスリットが形成され、
または、
前記基板の少なくとも一方の面の、前記空洞路の一部と前記空洞路の他の一部とが隣接する領域の、前記一部と前記他の一部との間に、（少なくとも前記空洞路に到達する深さの）線状溝が形成され、
ている電力移送装置。
【請求項２】
請求項１に記載の電力移送装置であって、
前記ソフト磁性材料がパーマロイまたはケイ素鋼である電力移送装置。
【請求項３】
請求項１に記載の電力移送装置であって、
前記空洞路が、複数のＵ字形が連結された形状、複数のＯ字形が連結された形状または渦巻き形状を含む電力移送装置。
【請求項４】
前記基板の前記空洞路の一部と前記空洞路の他の一部とが隣接する領域の、前記一部と前記他の一部との間に、貫通したスリットが形成されている請求項１に記載の電力移送装置であって、
前記基板が、第１外面板と第２外面板とにより構成され、
前記第１外面板と第２外面板の一方または双方は、前記空洞路に相当する部分が除去され、かつ、前記スリットに相当する部分が除去され、
または、
前記中央板は、前記空洞路に相当する部分および前記スリットに相当する部分が除去され、かつ、前記第１外面板および前記第２外面板は、前記スリットに相当する部分が除去されている電力移送装置。
【請求項５】
前記基板の少なくとも一方の面の、前記空洞路の一部と前記空洞路の他の一部とが隣接する領域の、前記一部と前記他の一部との間に、少なくとも前記空洞路に到達する深さの線状溝が形成されている請求項１に記載の電力移送装置であって、
前記基板が、第１外面板と第２外面板とにより構成され、
前記第１外面板と第２外面板の一方または双方は、前記空洞路に相当する部分が除去された前記第１外面板と第２外面板の一方または双方は、前記線状溝に相当する部分が除去され、
または、
前記基板が、第１外面板と中央板と第２外面板とにより構成され、
前記中央板は、前記空洞路に相当する部分が除去され、かつ、前記第１外面板および前記第２外面板の少なくとも一方は、前記空洞路に相当する部分が除去されている電力移送装置。
【請求項６】
請求項１に記載の電力移送装置であって、
前記空洞路が扁平であり、前記配線が帯状導体である電力移送装置。
【請求項７】
１次配線が収容される溝路が形成されたソフト磁性材料からなる第１基板と、
前記１次配線と、
２次配線が収容される溝路が形成されたソフト磁性材料からなる第２基板と、
前記２次配線と、
を備え、
前記１次配線の前記溝路が形成されている側の面と、前記２次配線の前記溝路が形成されている側の面とが近接したときに、前記１次配線と前記２次配線との間で電力の移送が行われる電力移送装置であって、
前記第１基板の前記溝路の一部と前記溝路の他の一部とが隣接する領域の、前記一部と前記他の一部との間に貫通したスリットが形成され、または、
前記第１基板の前記溝路が形成されていない側の面の、前記溝路の一部と前記溝路の他の一部とが隣接する領域の、前記一部と前記他の一部との間に、少なくとも前記溝路に到達する深さの線状溝が形成され、
かつ、
前記第２基板の前記溝路の一部と前記溝路の他の一部とが隣接する領域の、前記一部と前記他の一部との間に貫通したスリットが形成され、または、
前記第２基板の前記溝路が形成されていない側の面の、前記溝路の一部と前記溝路の他の一部とが隣接する領域の、前記一部と前記他の一部との間に、少なくとも前記溝路に到達する深さの線状溝が形成され、
ている電力移送装置。
【請求項８】
請求項７に記載の電力移送装置であって、
前記基板がパーマロイまたはケイ素鋼からなる電力移送装置。
【請求項９】
請求項７に記載の電力移送装置であって、
前記溝路が、複数のＵ字形が連結された形状、複数のＯ字形が連結された形状または渦巻き形状を含む電力移送装置。
【請求項１０】
第１基板および第２基板の少なくとも一方の、前記溝路の一部と前記溝路の他の一部とが隣接する領域の、前記一部と前記他の一部との間に貫通したスリットが形成されている請求項７に記載の電力移送装置であって、
前記第１基板および／または第２基板が、積層した第１板材と第２板材とにより構成され、
前記第１板材は、前記溝路に相当する部分および前記スリットに相当する部分が除去され、かつ、前記第２板材は、前記スリットに相当する部分が除去されている電力移送装置。
【請求項１１】
第１基板および第２基板の少なくとも一方の、前記溝路の一部と前記溝路の他の一部とが隣接する領域の、前記一部と前記他の一部との間に、少なくとも前記溝路に到達する深さの線状溝が形成されている請求項７に記載の電力移送装置であって、
前記第１基板および／または第２基板が、積層した第１板材と第２板材とにより構成され、
前記第１板材は、前記溝路に相当する部分が除去され、かつ、前記第２板材は、前記溝に相当する部分が除去されている電力移送装置。
【請求項１２】
請求項７に記載の電力移送装置であって、
前記溝路が扁平であり、前記配線が帯状導体である電力移送装置。
【請求項１３】
配線と、
前記配線を収容するための空洞路を有するソフト磁性材料からなる基板と、
を備えたリアクトルであって、
前記基板の前記空洞路の一部と前記空洞路の他の一部とが隣接する領域の、前記一部と前記他の一部との間に、貫通したスリットが形成され、
または、
前記基板の少なくとも一方の面の、前記空洞路の一部と前記空洞路の他の一部とが隣接する領域の、前記一部と前記他の一部との間に、（少なくとも前記空洞路に到達する深さの）線状溝が形成され、
ているリアクトル。
【請求項１４】
請求項１３に記載のリアクトルであって、
前記基板がパーマロイまたはケイ素鋼からなるリアクトル。
【請求項１５】
請求項１３に記載のリアクトルであって、
前記空洞路が、複数のＵ字形が連結された形状、複数のＯ字形が連結された形状または渦巻き形状を含むリアクトル。
【請求項１６】
前記基板の前記空洞路の一部と前記空洞路の他の一部とが隣接する領域の、前記一部と前記他の一部との間に、貫通したスリットが形成されている請求項１３に記載のリアクトルであって、
前記基板が、第１外面板と第２外面板とにより構成され、
前記第１外面板と第２外面板の一方または双方は、前記空洞路に相当する部分が除去され、かつ、前記スリットに相当する部分が除去され、
または、
前記基板が、第１外面板と中央板と第２外面板とにより構成され、
前記中央板は、前記空洞路に相当する部分および前記スリットに相当する部分が除去され、かつ、前記第１外面板および前記第２外面板は、前記スリットに相当する部分が除去されているリアクトル。
【請求項１７】
前記基板の少なくとも一方の面の、前記空洞路の一部と前記空洞路の他の一部とが隣接する領域の、前記一部と前記他の一部との間に、少なくとも前記空洞路に到達する深さの線状溝が形成されている請求項１３に記載のリアクトルであって、
前記基板が、第１外面板と第２外面板とにより構成され、
前記第１外面板と第２外面板の一方または双方は、前記空洞路に相当する部分が除去された前記第１外面板と第２外面板の一方または双方は、前記線状溝に相当する部分が除去され、
または、
前記基板が、第１外面板と中央板と第２外面板とにより構成され、
前記中央板は、前記空洞路に相当する部分が除去され、かつ、前記第１外面板および前記第２外面板の少なくとも一方は、前記空洞路に相当する部分が除去されているリアクトル。
【請求項１８】
請求項１３に記載のリアクトルであって、
前記空洞路が扁平であり、前記配線が帯状導体であるリアクトル。
【発明の詳細な説明】
【技術分野】
【０００１】
本発明は、厚みが薄くかつ製造が簡単で、かつ渦電流を生じさせない面状の電力移送装置に関する。
【背景技術】
【０００２】
従来、特許文献１に示すような、フィルムを積層したトランス／コイルが知られている。
このトランス／コイルでは、図１７に示すように、ラミネートコイル９１は、シート状金属導体を渦巻状のコイルパターンに成形して構成された導体配線９２，９３、よよび、絶縁性樹脂からなる絶縁性フィルム９４１〜９４３を重ねて構成される。これらは、接着一体化してリング状平板に作製され、トランスを構成する。リング内には磁路となる磁性体コア９５が設けられ、図示はされていないが、リング外周にも磁路となる磁性体が設けられる。
【先行技術文献】
【特許文献】
【０００３】
【特許文献１】特開２０１３−１６８４０１
【発明の開示】
【発明が解決しようとする課題】
【０００４】
この種のトランスの基本的な構成は、従来のワイヤーをコアに巻回したトランスと同じである。
このため、磁性体コアのために、薄型化ができないという問題がある。
【０００５】
本発明は、上記の問題を解決するために提案されたものであって、厚みが薄く、かつ製造が簡単な、面状の電力移送装置を提供することを目的とする。
【課題を解決するための手段】
【０００６】
本発明は、以下を要旨とする。
（１）
１次からＮ次（Ｎ：２以上の正の整数）の配線が一体に形成された前記配線群と、
配線群を収容するための空洞路を有するソフト磁性材料からなる基板と、
を備えた電力移送装置であって、
前記基板の前記空洞路の一部と前記空洞路の他の一部とが隣接する領域の、前記一部と前記他の一部との間に、貫通したスリットが形成され、
または、
前記基板の少なくとも一方の面の、前記空洞路の一部と前記空洞路の他の一部とが隣接する領域の、前記一部と前記他の一部との間に、（少なくとも前記空洞路に到達する深さの）線状溝が形成され、
ている電力移送装置。
（２）
（１）に記載の電力移送装置であって、
前記ソフト磁性材料がパーマロイまたはケイ素鋼である電力移送装置。
（３）
（１）に記載の電力移送装置であって、
前記空洞路が、複数のＵ字形が連結された形状、複数のＯ字形が連結された形状または渦巻き形状を含む電力移送装置。
（４）
前記基板の前記空洞路の一部と前記空洞路の他の一部とが隣接する領域の、前記一部と前記他の一部との間に、貫通したスリットが形成されている（１）に記載の電力移送装置であって、
前記基板が、第１外面板と第２外面板とにより構成され、
前記第１外面板と第２外面板の一方または双方は、前記空洞路に相当する部分が除去され、かつ、前記スリットに相当する部分が除去され、
または、
前記中央板は、前記空洞路に相当する部分および前記スリットに相当する部分が除去され、かつ、前記第１外面板および前記第２外面板は、前記スリットに相当する部分が除去されている電力移送装置。
（５）
前記基板の少なくとも一方の面の、前記空洞路の一部と前記空洞路の他の一部とが隣接する領域の、前記一部と前記他の一部との間に、少なくとも前記空洞路に到達する深さの線状溝が形成されている（１）に記載の電力移送装置であって、
前記基板が、第１外面板と第２外面板とにより構成され、
前記第１外面板と第２外面板の一方または双方は、前記空洞路に相当する部分が除去された前記第１外面板と第２外面板の一方または双方は、前記線状溝に相当する部分が除去され、
または、
前記基板が、第１外面板と中央板と第２外面板とにより構成され、
前記中央板は、前記空洞路に相当する部分が除去され、かつ、前記第１外面板および前記第２外面板の少なくとも一方は、前記空洞路に相当する部分が除去されている電力移送装置。
（６）
（１）に記載の電力移送装置であって、
前記空洞路が扁平であり、前記配線が帯状導体である電力移送装置。
（７）
１次配線が収容される溝路が形成されたソフト磁性材料からなる第１基板と、
前記１次配線と、
２次配線が収容される溝路が形成されたソフト磁性材料からなる第２基板と、
前記２次配線と、
を備え、
前記１次配線の前記溝路が形成されている側の面と、前記２次配線の前記溝路が形成されている側の面とが近接したときに、前記１次配線と前記２次配線との間で電力の移送が行われる電力移送装置であって、
前記第１基板の前記溝路の一部と前記溝路の他の一部とが隣接する領域の、前記一部と前記他の一部との間に貫通したスリットが形成され、または、
前記第１基板の前記溝路が形成されていない側の面の、前記溝路の一部と前記溝路の他の一部とが隣接する領域の、前記一部と前記他の一部との間に、少なくとも前記溝路に到達する深さの線状溝が形成され、
かつ、
前記第２基板の前記溝路の一部と前記溝路の他の一部とが隣接する領域の、前記一部と前記他の一部との間に貫通したスリットが形成され、または、
前記第２基板の前記溝路が形成されていない側の面の、前記溝路の一部と前記溝路の他の一部とが隣接する領域の、前記一部と前記他の一部との間に、少なくとも前記溝路に到達する深さの線状溝が形成され、
ている電力移送装置。
（８）
（７）に記載の電力移送装置であって、
前記基板がパーマロイまたはケイ素鋼からなる電力移送装置。
（９）
請求項７に記載の電力移送装置であって、
前記溝路が、複数のＵ字形が連結された形状、複数のＯ字形が連結された形状または渦巻き形状を含む電力移送装置。
（１０）
第１基板および第２基板の少なくとも一方の、前記溝路の一部と前記溝路の他の一部とが隣接する領域の、前記一部と前記他の一部との間に貫通したスリットが形成されている（７）に記載の電力移送装置であって、
前記第１基板および／または第２基板が、積層した第１板材と第２板材とにより構成され、
前記第１板材は、前記溝路に相当する部分および前記スリットに相当する部分が除去され、かつ、前記第２板材は、前記スリットに相当する部分が除去されている電力移送装置。
（１１）
第１基板および第２基板の少なくとも一方の、前記溝路の一部と前記溝路の他の一部とが隣接する領域の、前記一部と前記他の一部との間に、少なくとも前記溝路に到達する深さの線状溝が形成されている（７）に記載の電力移送装置であって、
前記第１基板および／または第２基板が、積層した第１板材と第２板材とにより構成され、
前記第１板材は、前記溝路に相当する部分が除去され、かつ、前記第２板材は、前記溝に相当する部分が除去されている電力移送装置。
（１２）
（７）に記載の電力移送装置であって、
前記溝路が扁平であり、前記配線が帯状導体である電力移送装置。
（１３）
配線と、
前記配線を収容するための空洞路を有するソフト磁性材料からなる基板と、
を備えたリアクトルであって、
前記基板の前記空洞路の一部と前記空洞路の他の一部とが隣接する領域の、前記一部と前記他の一部との間に、貫通したスリットが形成され、
または、
前記基板の少なくとも一方の面の、前記空洞路の一部と前記空洞路の他の一部とが隣接する領域の、前記一部と前記他の一部との間に、（少なくとも前記空洞路に到達する深さの）線状溝が形成され、
ているリアクトル。
（１４）
（１３）に記載のリアクトルであって、
前記基板がパーマロイまたはケイ素鋼からなるリアクトル。
（１５）
（１３）に記載のリアクトルであって、
前記空洞路が、複数のＵ字形が連結された形状、複数のＯ字形が連結された形状または渦巻き形状を含むリアクトル。
（１６）
前記基板の前記空洞路の一部と前記空洞路の他の一部とが隣接する領域の、前記一部と前記他の一部との間に、貫通したスリットが形成されている（１３）に記載のリアクトルであって、
前記基板が、第１外面板と第２外面板とにより構成され、
前記第１外面板と第２外面板の一方または双方は、前記空洞路に相当する部分が除去され、かつ、前記スリットに相当する部分が除去され、
または、
前記基板が、第１外面板と中央板と第２外面板とにより構成され、
前記中央板は、前記空洞路に相当する部分および前記スリットに相当する部分が除去され、かつ、前記第１外面板および前記第２外面板は、前記スリットに相当する部分が除去されているリアクトル。
（１７）
前記基板の少なくとも一方の面の、前記空洞路の一部と前記空洞路の他の一部とが隣接する領域の、前記一部と前記他の一部との間に、少なくとも前記空洞路に到達する深さの線状溝が形成されている（１３）に記載のリアクトルであって、
前記基板が、第１外面板と第２外面板とにより構成され、
前記第１外面板と第２外面板の一方または双方は、前記空洞路に相当する部分が除去された前記第１外面板と第２外面板の一方または双方は、前記線状溝に相当する部分が除去され、
または、
前記基板が、第１外面板と中央板と第２外面板とにより構成され、
前記中央板は、前記空洞路に相当する部分が除去され、かつ、前記第１外面板および前記第２外面板の少なくとも一方は、前記空洞路に相当する部分が除去されているリアクトル。
（１８）
（１３）に記載のリアクトルであって、
前記空洞路が扁平であり、前記配線が帯状導体であるリアクトル。
【０００７】
本発明において、配線は、（ａ）断面円形のワイヤー（導線）またはリッツ線、（ｂ）断面が矩形のワイヤー（導線）、（ｃ）帯状のワイヤー（導線）であってよい。
本発明において、空洞路または溝路は、基板に平行な扁平であってもよいし、基板に垂直な扁平（深溝）であってもよい。
Ｕ字形は、並んだ２本の平行線（垂直な辺）を有し、２本の平行線の一方側が開放し、他方側が直線（各平行線に垂直または角度を持つ直線）または曲線で連結された形状を意味する。
【０００８】
空洞路（溝路）は次の（ａ）から（ｃ）のように表現することもできる。
（ａ）
前記空洞路（溝路）は平面視形状が矩形波形状であってよい。
前記空洞路の断面は矩形・楕円、円、矩形の下辺および上辺に相当する部分が突出した半円であってもよい。
前記空洞路の断面は矩形、矩形の底部が突出した半円であってもよい。
（ｂ）前記空洞路（溝路）は、配線が同一経路を２回以上通ることができる構成であってもよい。
（ｃ）前記空洞路（溝路）は２つの渦巻きから構成されてもよい。
具体的には、
前記空洞路（溝路）は相互に平行な第１渦巻きと第２渦巻きを含み、
第１渦巻きおよび第２渦巻きの一方が右巻き、他方が左巻きであり、
第１渦巻きの外端が第１端子に接続され、
第１渦巻きの中心端と、第２渦巻きの中心端とが接続され、
第２渦巻きの外端が第２端子に接続され、
ている。
すなわち、前記空洞路（溝路）は第１渦巻きを外側端から中心に向けて描き、中心端に達したときに、第２渦巻きを中心端から外側端に向けて描いた形状をなす。
配線は、空洞路に収容されるので、配線の平面視形状は、空洞路・溝路の平面視形状と通常は同じである。
【０００９】
空洞路・溝路が矩形波形状をなす場合、配線は以下のように形成できる。
（ａ）
前記配線は複数の平行な第１配線要素から第Ｍ配線要素を含み、
一端から導体の第１端子が引き出される第１配線要素と、
第１配線要素の他端に一端が接続された第２配線要素と、
第２配線要素の他端に一端が接続された第３配線要素と、
・・・
第（Ｍ−１）配線要素の他端に一端が接続され、他端が第２端子である第Ｍ配線要素と
からなる。
第１配線要素から第Ｍ配線要素は、典型的には相互に平行な直線であるが、相互に平行な曲線（たとえば、渦巻き曲線）とすることもできる。
（ｂ）
１つの配線は、矩形波形状の銅箔（銅フィルム，銅プレート）を折り曲げて、多層に形成することができる。
この場合には、折り返しが、（ｋ）と（ｋ＋１）との間で行われる場合、（ｋ−１）と（ｋ＋１）とが重なるように折り曲げられる。
たとえば、往復する平行な直線からなるＵ字の繰り返しで、平面視Ｎ本からなる積層パターンを形成できる。
たとえば、ライン（Ｎ＋１）がライン（Ｎ−１）と重なるように、展開パターンを形成しておく。
ライン１とライン（２Ｎ−１）とは重なって構成される。
ライン（２Ｎ）とライン（２Ｎ＋１）との間で折り返す場合には、ライン（２Ｎ＋１）は、ライン１，ライン（２Ｎ−１）と重なるように、展開パターンを形成しておく。
この場合には、空洞路・溝路の数は（Ｎ＋１）であり、２番目から（Ｎ−１）番目のラインが、積層数が最大となる。
【００１０】
ソフト磁性材は、典型的にはパーマロイ（Ｆｅ−Ｎｉ）やケイ素鋼であるが、フェライト、Ｆｅ−Ｃｏ，Ｆｅ−Ｃｏ−Ｂ，Ｃｏ−Ｚｒ−Ｎｂ等を使用できる。
【００１１】
Ｎ（Ｎは２以上の正の整数）の配線は、相互に絶縁フィルムより絶縁され、かつ前記配線群は絶縁フィルムにより前記パネル体に対して絶縁することができる。
【００１２】
配線は、銅のほか、アルミニウム等の他の導体から構成できる。
各配線同士は、絶縁箔、絶縁塗料等により絶縁されことができる。
また、Ｎの各配線は、基板に対して絶縁される。
【００１３】
本発明の電力移送装置に与えられる高周波電圧（たとえば、インバータの出力電圧）は、典型的には、商用周波数〜数ＧＨｚまでの正弦波または矩形波である。
【発明の効果】
【００１４】
厚みが薄く、かつ製造が簡単で、かつ渦電流損等の損失が極めて小さい、面状の電力移送装置が提供できる。
【図面の簡単な説明】
【００１５】
【図１】図１は電力移送装置１Ａの構成部材を示す図である。
【図２】図２は電力移送装置１Ａの分解斜視図である。
【図３】図３は電力移送装置１Ａの組み立て図である。
【図４】図４は電力移送装置１Ｂの構成部材を示す図である。
【図５】図５は電力移送装置１Ｂの分解斜視図である。
【図６】図６は電力移送装置１Ｂの組み立て図である。
【図７】図７は、トランスとして使用される本発明の電力移送装置の第３実施形態を示す説明であり、電力移送装置１Ｃの構成部材を示す図である。
【図８】図８は、トランスとして使用される本発明の電力移送装置の第３実施形態を示す説明であり、２次配線１２２の分解説明図である。
【図９】図９は、本発明の第４実施形態を示す図である。
【図１０】図１０（Ａ）は第１基板と１次配線を示す図である。  図１０（Ｂ）は第２基板と２次配線を示す図である。  図１０（Ｃ）は第４実施形態の電力移送装置１Ｄを示す平面図である。  図１０（Ｃ）は第４実施形態の電力移送装置１Ｄを示す図１０（Ｃ）におけるＸ−Ｘ断面図である。
【図１１】図１１は本発明の第５実施形態を示す説明図である。  図１１（Ａ）は、第１基板１１１と第２基板１１２の、それぞれの表面を示す図である。  図１１（Ｂ）は、第１基板１１１と第２基板１１２の、それぞれの裏面を示す図である。  図１１（Ｃ）は、図１１（Ｂ）における基板１１のＸ−Ｘ断面図である。
【図１２】図１２は本発明の第５実施形態を示す説明図である。  図１２（Ａ）は、第１基板１１１と第２基板１１２の、それぞれの表面を示す図である。  図１２（Ｂ）は、第１基板１１１と第２基板１１２の、それぞれの裏面を示す図である。  図１２（Ｃ）は、図１０（Ｂ）における基板１１のＸ−Ｘ断面図である。
【図１３】図１３は本発明の電力移送装置の第６実施形態を示す説明図である。  図１３（Ａ）は、第１基板１１１と第２基板１１２の、それぞれの表面を示す図である。  図１３（Ｂ）は、第１基板１１１と第２基板１１２の、それぞれの裏面を示す図である。  図１３（Ｃ）は、図１３（Ｂ）における基板１１のＸ−Ｘ断面図である。
【図１４】図１４は本発明のリアクトルの第１実施形態を示す説明図である。
【図１５】図１５は本発明のリアクトルの第２実施形態を示す説明図である。
【図１６】図１６（Ａ）は渦巻き状の配線６２を示す図である。  図１６（Ｂ）は渦巻き状の配線を収容する基板６１を示す図である。
【図１７】図１７は、従来の薄型のトランスを示す説明図である。
【発明を実施するための形態】
【００１６】
本発明（電力移送装置・リアクトル）の実施形態を、以下に説明する。
以下の実施形態において、図面上の各部材の形状（たとえば、縦／横の比、厚み等）は、実際の電力移送装置・リアクトルの各部材の形状とは異なる。
【００１７】
図１〜図３は、トランスとして使用される本発明の電力移送装置の第１実施形態を示す説明である。
図１は電力移送装置１Ａの構成部材を示す図である。
図２は電力移送装置１Ａの分解斜視図である。
図３は電力移送装置１Ａの組み立て図である。
図１、図２および図３において電力移送装置１Ａは、基板１１と配線ユニット１２とからなる。
配線ユニット１２は、１次配線１２１および２次配線１２２からなる配線群を含んでいる。
【００１８】
基板１１は、空洞路ＧＴが形成されたパーマロイまたはケイ素鋼（ソフト磁性材料）からなる。
空洞路ＧＴの平面視形状は、複数のＵ字形が連結された形状（本実施形態では、矩形波形状）である。
空洞路ＧＴの断面形状は、基板１１に平行な扁平な矩形である。
【００１９】
本実施形態では、基板１１の、空洞路ＧＴの一部と空洞路ＧＴの他の一部とが隣接する領域の、前記一部と前記他の一部との間に、貫通したスリットＳＬＴが形成されている。
基板１１は、第１外面板１１１と中央板１１３と第２外面板１１２により構成されている。
第１外面板１１１および第２外面板１１２は、スリットＳＬＴに相当する部分（ＳＬＴ１およびＳＬＴ２）が除去されている。
中央板１１３は、空洞路ＧＴに相当する部分およびスリットＳＬＴ（ＳＬＴ３）に相当する部分が除去されている。
【００２０】
配線ユニット１２は、１次配線１２１および２次配線１２２からなる配線群と絶縁材（インシュレータ）１２３，１２４，１２５からなる。
１次配線１２１および２次配線１２２は、空洞路ＧＴに絶縁材１２３，１２４により絶縁されて収容される。
１次配線１２１は、この配線の平面視形状と同一の平面視形状を有する絶縁箔１２３により基板１と絶縁される。
２次配線１２２は、この配線の平面視形状とほぼ同一の平面視形状を有する絶縁箔１２４により基板１と絶縁される。
１次配線１２１と２次配線１２２とは、絶縁材１２５により相互に絶縁されている。
本実施形態では、基板１１に形成したスリットにより、隣接する１次配線１２１の部分同士が干渉することはないし、隣接する２次配線１２２の部分同士が干渉することはない。
【００２１】
図４〜図６は、トランスとして使用される本発明の電力移送装置の第２実施形態を示す説明である。
図４は電力移送装置１Ｂの構成部材を示す図である。
図５は電力移送装置１Ｂの分解斜視図である。
図６は電力移送装置１Ｂの組み立て図である。
電力移送装置１Ｂの構成は、線状溝ＤＴを除き、電力移送装置１Ａと同じである。
第１実施形態の電力移送装置１Ａでは、基板１１にスリットが形成されているが、本実施形態の電力移送装置１Ｂでは、基板１１に、スリットが形成されていない。
本実施形態の電力移送装置１Ｂでは、基板１１は第１基板１１１と第２基板１１２とから構成される。
本実施形態の電力移送装置１Ｂでは、第１基板１１１側の面に空洞路ＧＴに到達する深さの線状溝ＤＴ１が形成され、第２基板１１２側の面に空洞路ＧＴに到達する深さの線状溝ＤＴ２が形成されている。
本実施形態では、線状溝ＤＴ１およびＤＴ２により、１次配線１２１を流れる電流が作る磁束同士が干渉することはないし、２次配線１２２を流れる電流が作る磁束同士が干渉することはない。
【００２２】
図７および図８は、トランスとして使用される本発明の電力移送装置の第３実施形態を示す説明である。図７は電力移送装置１Ｃの構成部材を示す図、図８は２次配線１２２の分解説明図である。
第１実施形態の電力移送装置１Ａおよび第２実施形態の電力移送装置１Ｂは、空洞路ＧＴは開いているが、第３実施形態の電力移送装置１Ｃでは、空洞路ＧＴは閉じている。
電力移送装置１Ｃの基板１１の構成は、電力移送装置１Ａの構成と同じである。
【００２３】
図８に示すように、電力移送装置１Ｃにおいて、１次配線１２１は、コイル接続された５枚の帯状箔１２１ａ〜１２１ｅからなり、２次配線１２１は、コイル接続された２枚の帯状箔１２２ａ〜１２２ｅからなる。
本実施形態では、１次配線１２１と２次配線１２２との長さの比は、５対２である。
【００２４】
１次配線１２１と２次配線１２２とは、これら配線の平面視形状と同一の平面視形状を有する絶縁箔１２５により相互に絶縁されている。
また、１次配線１２１が、この配線の平面視形状と同一の平面視形状を有する絶縁箔１２３により基板１と絶縁され、２次配線１２１が、この配線の平面視形状とほぼ同一の平面視形状を有する絶縁箔１２４により基板１と絶縁されている。
【００２５】
図８を参照して、１次配線１２１の作成工程を示す。
第１の帯状箔１２１ａの始端ａ１が、１次配線１２１の一端子を構成する（図２（Ａ））。
第２の帯状箔１２１ａの終端ａ２と、第２の帯状箔１２１ｂの始端ｂ１とが接続される（図８（Ｂ））。
第２の帯状箔１２１ｂの終端ｂ２と、第３の帯状箔１２１ｃの始端ｃ１とが接続される（図８（Ｃ））。
第３の帯状箔１２１ｃの終端ｃ２と、第４の帯状箔１２１ｄの始端ｄ１とが接続される（図８（Ｄ））。
第４の帯状箔１２１ｄの終端ｄ２と、第５の帯状箔１２１ｅの始端ｅ１とが接続される（図８（Ｅ））。
第５の帯状箔１２１ｅの終端ｅ２は、１次配線１２１の他端子を構成する。
以上により、１次配線１２１が作成される（図８（Ｆ））。
【００２６】
同様にして、第２の帯状箔１２２ａの始端ａ２が一端子であり、第２の帯状箔１２２ｂの始端ｂ２が他端子である２次配線１２２が作成される（図７参照）。
なお、帯状箔（１２１ａ〜１２１ｅ，１２２ａ，１２２ｂ）は、銅箔をカットすることにより形成することができるし、銅箔テープを折り曲げることにより構成することもできる。
【００２７】
図９は、本発明の第４実施形態を示す図である。
本実施形態では、図９（Ａ），（Ｂ）に示すように、１次配線１２１，１２２は、銅箔（銅フィルム，銅プレート）を複数回、折り曲げることで積層形成されている。図９（Ａ）では、折り曲げ部を符号ＴＵ１，ＴＵ２，ＴＵ３で示し、図９（Ｂ）では、折り曲げ部を符号ＴＵ１，ＴＵ２で示してある。
図９（Ａ），（Ｂ）では、往復する平行な直線からなるＵ字の繰り返しで、平面視１０本からなる積層パターンを形成できる。
図９（Ａ）に１次配線の積層形成方法（および構成）を示す。
第ｋのラインをＬ（ｋ）で示すと、最初の折り返しは、Ｌ（８）とＬ（９）との間の部位ＴＵ１で行われ、Ｌ（９）とＬ（７）とが重なるように折り曲げられる。
第２の折り返しは、Ｌ（１５）とＬ（１６）との間の部位ＴＵ２で行われ、Ｌ（１６）とＬ（１４）とが重なるように折り曲げられる。
第３の折り返しは、Ｌ（２２）とＬ（２３）との間の部位ＴＵ３で行われ、Ｌ（２３）とＬ（２１）とが重なるように折り曲げられる。
図９（Ｂ）に２次配線の積層形成方法（および構成）を示す。
最初の折り返しは、Ｌ（８）とＬ（９）との間の部位ＴＵ１で行われ、Ｌ（９）とＬ（７）とが重なるように折り曲げられる。
第２の折り返しは、Ｌ（１５）とＬ（１６）との間の部位ＴＵ２で行われ、Ｌ（１６）とＬ（１４）とが重なるように折り曲げられる。
図１０（Ａ）は第１基板と１次配線を示す図である。
図１０（Ｂ）は第２基板と２次配線を示す図である。
図１０（Ｃ）は第４実施形態の電力移送装置１Ｄを示す平面図である。
図１０（Ｃ）は第４実施形態の電力移送装置１Ｄを示す図１０（Ｃ）におけるＸ−Ｘ断面図である。
【００２８】
図１１は本発明の第５実施形態を示す説明図である。
第５実施形態では、電力移送装置１Ｅは、スリットＳＬＩを有する基板１１が第１基板１１１と第２基板１１２とから構成され、第１基板１１１と第２基板１１２とは、それぞれ１枚のパーマロイ板またはケイ素鋼板から構成される。
図１１（Ａ）は、第１基板１１１と第２基板１１２の、それぞれの表面を示す図である。
図１１（Ｂ）は、第１基板１１１と第２基板１１２の、それぞれの裏面を示す図である。
図１１（Ｃ）は、図１１（Ｂ）における基板１１のＸ−Ｘ断面図である。
【００２９】
図１２は本発明の第５実施形態を示す説明図である。
第４実施形態では、電力移送装置１Ｅは、スリットＳＬＴを有する基板１１が第１基板１１１と第２基板１１２とから構成され、第１基板１１１と第２基板１１２とは、それぞれ１枚のパーマロイ板またはケイ素鋼板から構成される。
図１２（Ａ）は、第１基板１１１と第２基板１１２の、それぞれの表面を示す図である。
図１２（Ｂ）は、第１基板１１１と第２基板１１２の、それぞれの裏面を示す図である。
図１２（Ｃ）は、図１０（Ｂ）における基板１１のＸ−Ｘ断面図である。
【００３０】
図１３は本発明の電力移送装置の第６実施形態を示す説明図である。
第４実施形態では、電力移送装置１Ｆは、線状溝ＤＴを有する基板１１が第１基板１１１と第２基板１１２とから構成され、第１基板１１１と第２基板１１２とは、それぞれ１枚のパーマロイ板またはケイ素鋼板から構成される。
図１３（Ａ）は、第１基板１１１と第２基板１１２の、それぞれの表面を示す図である。
図１３（Ｂ）は、第１基板１１１と第２基板１１２の、それぞれの裏面を示す図である。
図１３（Ｃ）は、図１３（Ｂ）における基板１１のＸ−Ｘ断面図である。
【００３１】
図１４は本発明のリアクトルの第１実施形態を示す説明図である。
図１４においてリアクトル５は、基板５１と配線ユニット５２とからなる。
【００３２】
基板５１は、空洞路ＧＴが形成されたパーマロイまたはケイ素鋼板（ソフト磁性材料）からなる。
空洞路ＧＴの平面視形状は、複数のＵ字形が連結された形状（本実施形態では、矩形波形状）である。
空洞路ＧＴの断面形状は、基板５１に平行な扁平な矩形である。
【００３３】
本実施形態では、基板５１の、空洞路ＧＴの一部と空洞路ＧＴの他の一部とが隣接する領域の、前記一部と前記他の一部との間に、貫通したスリットＳＬＴが形成されている。
基板５１は、第１外面板５１１と中央板５１３と第２外面板５１２により構成されている。
第１外面板５１１および第２外面板５１２は、スリットＳＬＴに相当する部分（ＳＬＴ１およびＳＬＴ２）が除去されている。
中央板５１３は、空洞路ＧＴに相当する部分およびスリットＳＬＴ（ＳＬＴ３）に相当する部分が除去されている。
【００３４】
配線ユニット５２は、配線５２１と絶縁材（インシュレータ）５２３，５２４からなる。
配線５２１は、空洞路ＧＴに絶縁材５２３，５２４により絶縁されて収容される。
本実施形態では、基板５１に形成したスリットにより、隣接する配線５２１の部分同士が干渉することはない。
【００３５】
図１５は本発明のリアクトルの第２実施形態を示す説明図である。
図１５においてリアクトル５は、基板５１と配線ユニット５２とからなる。
【００３６】
基板５１は、空洞路ＧＴが形成されたパーマロイまたはケイ素鋼板（ソフト磁性材料）からなる。
空洞路ＧＴの平面視形状は、複数のＵ字形が連結された形状（本実施形態では、矩形波形状）である。
空洞路ＧＴの断面形状は、基板５１に平行な扁平な矩形である。
【００３７】
本実施形態では、基板５１の両面に、空洞路ＧＴの一部と空洞路ＧＴの他の一部とが隣接する領域の、前記一部と前記他の一部との間に、少なくとも空洞路ＧＴに到達する深さの線状溝ＤＴが形成されている。
基板５１は、第１外面板５１１と中央板５１３と第２外面板５１２により構成されている。
第１外面板５１１および第２外面板５１２は、線状溝ＤＴに相当する部分（ＳＬＴ１およびＳＬＴ２）が除去されている。
中央板５１３は、空洞路ＧＴに相当する部分に相当する部分が除去されている。
【００３８】
配線ユニット５２は、配線５２１と絶縁材（インシュレータ）５２３，５２４からなる。
配線５２１は、空洞路ＧＴに絶縁材５２３，５２４により絶縁されて収容される。
本実施形態では、基板５１に形成した線状溝ＤＴにより、隣接する配線５２１の部分同士が干渉することはない。
【００３９】
上記の電力移送装置の各実施形態およびリアクトルの各実施形態では、配線のパターンを渦巻き状にできる。
図１６（Ａ）は渦巻き状の配線６２（１次配線６２１および２次配線６２２）を示す図である。なお、リアクトルとして使用するときは配線６２は１つである。
図１６（Ｂ）は渦巻き状の配線を収容する基板６１（第１基板および第２基板）を示す図である。
【符号の説明】
【００４０】
１  電力移送装置
１１  基板
１２  配線ユニット
１２１  １次配線
１２２  ２次配線
１１１  第１外面板
１１２  第２外面板
１１３  中央板
１２１  １次配線
１２２  ２次配線
１２３，１２４，１２５  絶縁材
【図１】
2016042507.tif 000003
【図２】
2016042507.tif 000004
【図３】
2016042507.tif 000005
【図４】
2016042507.tif 000006
【図５】
2016042507.tif 000007
【図６】
2016042507.tif 000008
【図７】
2016042507.tif 000009
【図８】
2016042507.tif 000010
【図９】
2016042507.tif 000011
【図１０】
2016042507.tif 000012
【図１１】
2016042507.tif 000013
【図１２】
2016042507.tif 000014
【図１３】
2016042507.tif 000015
【図１４】
2016042507.tif 000016
【図１５】
2016042507.tif 000017
【図１６】
2016042507.tif 000018
【図１７】
2016042507.tif 000019